(57)【要約】【課題】液晶テレビにおいて、同期信号の乱れによる液晶パネルの焼き付けを防止する。【解決手段】液晶表示制御装置１５のカウンタ１５ａは、水平同期信号及び垂直同期信号の周期を検出する。比較器１５ｂは、カウント値を所定の最小値Ｍｉｎ値及び最大値Ｍａｘ値と比較する。カウント値が範囲外にある場合、同期パルス生成部１５ｃは所定範囲内となるタイミングで同期パルスを生成する。セレクタ１５ｅは、周期が範囲内である場合には入力同期信号を出力し、範囲外である場合には同期パルス生成器１５ｃからの同期パルスを出力する。【選択図】図１
2005086302.tif 000002
【特許請求の範囲】
【請求項１】
水平及び垂直同期信号に同期して画面を操作する液晶表示制御装置であって、
前記同期信号を入力する入力部と、
入力同期信号の周期が所定の最小値及び最大値の範囲内にあるか否かを判定し、入力同期信号の周期が前記範囲内にない場合に、前記周期が前記範囲内となるようなタイミングで同期パルス信号を生成して前記入力同期信号に替えて出力し、かつ、生成した同期パルス信号と新たに入力した入力同期信号との周期が前記範囲内にないときに前記タイミングと同一若しくは異なるタイミングで前記同期パルス信号を生成し出力する同期パルス信号生成部と、
を有することを特徴とする液晶表示制御装置。
【請求項２】
請求項１記載の装置において、
前記同期パルス信号生成部は、入力同期信号の周期が前記範囲内にない場合に、前記周期が前記最大値となるタイミングで前記同期パルス信号を生成して出力し、かつ、生成し出力した前記同期パルス信号と新たに入力した入力同期信号との周期が前記範囲内にないときに前記周期が前記最大値となるタイミングで前記同期パルス信号を再び生成して出力する
ことを特徴とする液晶表示制御装置。
【請求項３】
請求項１記載の装置において、
前記同期パルス信号生成部は、入力同期信号の周期が前記最小値より小さいために前記範囲内にない場合に前記周期が前記最小値となるタイミングで前記同期パルス信号を生成して出力し、入力同期信号の周期が前記最大値より大きいために前記範囲内にない場合に前記周期が前記最大値となるタイミングで前記同期パルス信号を生成して出力し、かつ、生成し出力した同期パルス信号と新たに入力した入力同期信号との周期が前記範囲内にないときに前記周期が前記最大値となるタイミングで前記同期パルス信号を再び生成して出力する
ことを特徴とする液晶表示制御装置。
【請求項４】
請求項２、３のいずれかに記載の装置において、
前記同期パルス信号生成部は、生成した同期パルス信号と新たに入力した入力同期信号との周期が前記最大値となるタイミングで前記同期パルス信号を生成して出力した連続回数が所定回数に達した場合に、前記周期が最小値となるタイミングに変更して前記同期パルス信号を生成して出力する
ことを特徴とする液晶表示制御装置。
【請求項５】
請求項１記載の装置において、
前記同期パルス信号生成部は、入力同期信号の周期が前記最小値より小さいために前記範囲内にない場合に前記周期が前記最小値となるタイミングで前記同期パルス信号を生成して出力し、入力同期信号の周期が前記最大値より大きいために前記範囲内にない場合に前記周期が前記最大値となるタイミングで前記同期パルス信号を生成して出力し、かつ、生成し出力した同期パルス信号と新たに入力した入力同期信号との周期が前記最小値より小さいために前記範囲内にない場合に前記周期が前記最小値となるタイミングで前記同期パルス信号を再び生成して出力し、生成し出力した同期パルス信号と新たに入力した入力同期信号との周期が前記最大値より大きいために前記範囲内にない場合に前記周期が前記最大値となるタイミングで前記同期パルス信号を再び生成して出力する
ことを特徴とする液晶表示制御装置。
【発明の詳細な説明】
【技術分野】
【０００１】
本発明は液晶表示制御装置、特に同期信号異常時の処理に関する。
【背景技術】
【０００２】
従来、液晶パネル（ＬＣＤパネル）はパーソナルコンピュータ（ＰＣ）用のモニタとして用いられていたが、近年、薄型、軽量である特性を活かして液晶テレビとして用いられる場合も多くなっている。ＰＣのモニタとして使用されている限り、ＬＣＤパネルに入力される信号は比較的安定しているが、液晶テレビとして使用される場合、チャンネルの切替やＶＴＲ再生、早送り、巻き戻し時に入力信号は非安定状態となる。
【０００３】
図８には、一般的な液晶テレビの構成が示されている。液晶テレビは、ＴＶ映像信号を受信するＴＶチューナ１０、受信したＴＶ映像信号からＲ信号、Ｇ信号、Ｂ信号を抽出するＲＧＢデコーダ１２、ＴＶ映像信号の水平画素数あるいは走査線数を変換するためのスケーラ１４及びパネルモジュール１６を含んで構成される。パネルモジュール１６にはＬＣＤパネル及びこのＬＣＤパネルを駆動するためのＬＣＤコントローラが含まれる。ＬＣＤコントローラはタイミングを制御するコントローラ及びドライバＩＣを含み、水平及び垂直同期信号に同期してＬＣＤパネルを走査する。ドライバＩＣは、タイミングコントローラからのラッチ信号ＳＴＢに基づいて１水平期間内のデジタル映像信号をラッチ回路にラッチし、Ｄ／Ａコンバータでアナログ信号に変換した後ＬＣＤパネルの各画素を駆動する駆動素子に出力する。例えば、ラッチ信号ＳＴＢの立上りタイミングでデータレジスタに記憶されているＲ，Ｇ，Ｂ各デジタル映像信号データをラッチ回路に転送してラッチし、ＳＴＢの立下りタイミングでアナログ出力をＬＣＤパネルに出力して表示する。
【０００４】
ＰＣ等から安定した信号が供給されている場合にはタイミングコントローラやドライバＩＣは正常に動作するが、チャンネルの切替やＶＴＲ再生時等のように非安定な信号が供給された場合、タイミングコントローラは正常に機能せず、ＬＣＤパネルを正常に駆動できずに画面が真っ白（ノーマリホワイトの場合）あるいは真っ黒（ノーマリブラックの場合）となる状態が出現する。本願明細書では、このように非安定な信号、特に水平及び垂直同期信号の周期が異常な信号が供給された場合にＬＣＤパネルが真っ白あるいは真っ黒となる状態を特に「焼き付け」と称する。
【０００５】
もちろん、このような「焼き付け」を防止するためには、ＬＣＤコントローラに供給される水平及び垂直同期信号の周期を検出し、周期が通常の周期と異なる場合にこれを修正する回路を付加すればよい。
【０００６】
下記に示す従来技術では、垂直同期信号の周期が所定周期よりも短い場合に、新たに入力された垂直同期信号をマスクする技術が記載されている。また、垂直同期信号が入力されてから所定時間以上新たな垂直同期信号が入力されない場合に１フレーム前の垂直同期信号と同一の周期で疑似パルスを発生し、疑似パルスとその直後に入力される垂直同期信号の周期が所定の周期よりも短い場合に新たに入力される垂直同期信号をマスクする技術が記載されている。
【０００７】
図９には、従来の垂直カウントダウン回路の構成が示されており、図１０にはタイミングチャートが示されている。垂直同期信号として、図１０（Ａ）に示すような通常よりも周期の短い部分を含む信号が図９に示す論理積回路７０に入力されたとする。垂直同期信号の図中第１番目のパルスにより、論理和回路７３の出力が“Ｌ”の状態となったとすると、カウンタ７４は、その時点でのカウント値を遅延反転部７７に出力するとともに、カウント値を“０”に再設定し、カウントアップ動作を開始する。また、遅延反転部７７は、カウンタ７４から出力されたカウント値の符号を反転するとともに、１フレーム分遅延して、カウンタ７５に出力する。カウンタ７５は、遅延反転部７７から出力されたデータを初期値としてカウントアップ動作を開始する。カウンタ７４のカウント値が“４８０”以上になると、カウンタ７４から論理積回路７０に出力されるノイズ除去用ウィンドウ信号（図１０（Ｂ））は、“Ｈ”の状態とされる。そして、垂直同期信号の第２番目のパルスが入力されると、パルスの立ち下がりに同期して、カウンタ７４，７５がリセットされる。垂直同期信号の周期が正規の周期であるとすると、リセット直前のカウンタ７４のカウント値は、“５２５”である。この値は、遅延反転部７７に出力され、１フレーム分遅延された後、符号が反転されて“−５２５”とされて、カウンタ７５に供給される。カウンタ７５は、遅延反転部７７から供給された値を初期値として、カウントアップを行い、カウント値が“−２”以上（−２，−１）となった場合には、論理和回路７８に対する出力信号（図１０（Ｃ））を“Ｌ”の状態とする。また、カウント値が“−１”となった場合には、カウンタ７６に対する出力信号を“Ｌ”の状態とし、カウント動作を終了する。カウンタ７６は、カウンタ７５の出力信号が立ち下がるタイミングで、図１０（Ｄ）に示すように、出力信号を“Ｈ”の状態とすると共に、初期値“０”からカウントアップを行う。そして、カウント値が“４８０”になると、出力信号を“Ｌ”とすると共に、カウント動作を終了する。論理和回路７８の出力信号は、図１０（Ｅ）に示すように、カウンタ７５の出力とカウンタ７６の出力が共に“Ｌ”の状態となった場合に、“Ｌ”の状態とされる。いま、図１０（Ａ）に示す垂直同期信号の第４番目のパルスが入力されたとする。この第４番目のパルスは、第３番目のパルスとの間隔が通常よりも短くなっているため、カウンタ７４のカウント値が“４８０”になる前に、論理積回路７０に入力されることになる。即ち、カウンタ７４の出力が“Ｌ”の状態となっている場合に、第４番目のパルスが入力されるので、論理積回路７０は、この第４番目のパルスをマスクすることになる。従って、論理和回路７８からは、このパルスに対応する信号は出力されない。カウンタ７６は、垂直同期信号の第３番目のパルスによりリセットされた後、カウントアップ動作を実行し、カウント値が“４８０”になると、その出力信号（図１０（Ｄ））を“Ｌ”の状態とする。また、カウンタ７５は、初期値として読み込んだ、１つ前のフレームのカウント値“−５２５”をカウントアップし、値“−２”となるタイミングで、論理和回路７８に対する出力を“Ｌ”の状態とする。そのとき、カウンタ７６の出力信号（図１０（Ｄ））は、既に“Ｌ”の状態とされているので、論理和回路７８の出力（図１０（Ｅ））は、“Ｌ”の状態となる（第４番目のパルスが出力される）。続いて、垂直同期信号の第５番目のパルスが入力されると、そのときカウンタ７４の論理積回路７０に対する出力は“Ｈ”の状態とされているので、論理積回路７０からパルスが出力され、その結果、微分回路の出力は“Ｌ”の状態となり、カウンタ７４，７５がリセットされる。カウンタ７５の出力（図１０（Ｃ））は、その瞬間“Ｌ”の状態とされるが、カウンタ７６の出力が“Ｈ”の状態である（カウント値が“４８０”未満である）ので、論理和回路７８の出力信号（図１０（Ｅ））は、変化しない（“Ｈ”の状態を継続する）。次に、垂直同期信号の第６番目のパルスが入力されると、カウンタ７４の出力（図１０（Ｂ））は既に“Ｈ”の状態とされているため、論理和回路７３の出力が“Ｌ”の状態とされ、その結果、カウンタ７４，７５がリセットされる。このとき、カウンタ７６の出力（図１０（Ｄ））は、既に“Ｌ”の状態とされているので、カウンタ７５がリセットされるタイミングで、論理和回路７８の出力が“Ｌ”の状態となる（第５番目のパルスが出力される）。
【０００８】
このように、通常よりも周期の短い部分を含む信号が入力された場合は、カウンタ７４と論理積回路７０によりマスクされ、異常な同期信号が供給されるのを防ぐことができるとしている。
【０００９】
【特許文献１】特開平１０−４９０５７号公報（図８、図１１）
【発明の開示】
【発明が解決しようとする課題】
【００１０】
上記従来技術では、カウントダウン出力の直後にオリジナルの同期信号が出力されることを防止するためにマスキングを用いているが、マスキング期間を超えた後に入力されたオリジナル同期信号はそのまま引き込んで出力するため、最終的な垂直同期信号の周期は本来の周期と異なることになり、ＬＣＤパネルを正常に駆動することが困難となる。
【００１１】
本発明の目的は、同期信号の周期を補正し、ＬＣＤパネルを正常に駆動できる液晶表示制御装置を提供することにある。
【課題を解決するための手段】
【００１２】
本発明は、水平及び垂直同期信号に同期して画面を操作する液晶表示制御装置であって、前記同期信号を入力する入力部と、入力同期信号の周期が所定の最小値及び最大値の範囲内にあるか否かを判定し、入力同期信号の周期が前記範囲内にない場合に、前記周期が前記範囲内となるようなタイミングで同期パルス信号を生成して前記入力同期信号に替えて出力し、かつ、生成した同期パルス信号と新たに入力した入力同期信号との周期が前記範囲内にないときに前記タイミングと同一若しくは異なるタイミングで前記同期パルス信号を生成し出力する同期パルス信号生成部とを有する。
【００１３】
本発明では、入力同期信号が所定の範囲内の周期を有していない場合、所定の範囲内となるように同期パルスを生成して代替出力する。そして、入力同期信号に復帰する場合にも、同期パルスとの周期が所定の範囲内となる場合に限定し、復帰時に異常周期となることを防止する。同期パルスと入力同期信号との周期が所定の範囲内にない場合には入力同期信号に復帰せず、同期パルスを代替出力したときと同一もしくは異なるタイミングで同期パルスを再び生成して代替出力する。同期パルスを生成し出力するタイミングとしては、例えば所定範囲の下限である最小値Ｍｉｎ値のタイミングで出力する場合や所定範囲の上限である最大値Ｍａｘ値で出力する場合がある。
【００１４】
本発明において、前記同期パルス信号生成部は、入力同期信号の周期が前記範囲内にない場合に、前記周期が前記最大値となるタイミングで前記同期パルス信号を生成して出力し、かつ、生成し出力した前記同期パルス信号と新たに入力した入力同期信号との周期が前記範囲内にないときに前記周期が前記最大値となるタイミングで前記同期パルス信号を再び生成して出力してもよい。
【００１５】
また、本発明において、前記同期パルス信号生成部は、入力同期信号の周期が前記最小値より小さいために前記範囲内にない場合に前記周期が前記最小値となるタイミングで前記同期パルス信号を生成して出力し、入力同期信号の周期が前記最大値より大きいために前記範囲内にない場合に前記周期が前記最大値となるタイミングで前記同期パルス信号を生成して出力し、かつ、生成し出力した同期パルス信号と新たに入力した入力同期信号との周期が前記範囲内にないときに前記周期が前記最大値となるタイミングで前記同期パルス信号を再び生成して出力してもよい。
【００１６】
前記同期パルス信号生成部は、生成した同期パルス信号と新たに入力した入力同期信号との周期が前記最大値となるタイミングで前記同期パルス信号を生成して出力した連続回数が所定回数に達した場合に、前記周期が最小値となるタイミングに変更して前記同期パルス信号を生成して出力することもできる。
【００１７】
また、本発明において、前記同期パルス信号生成部は、入力同期信号の周期が前記最小値より小さいために前記範囲内にない場合に前記周期が前記最小値となるタイミングで前記同期パルス信号を生成して出力し、入力同期信号の周期が前記最大値より大きいために前記範囲内にない場合に前記周期が前記最大値となるタイミングで前記同期パルス信号を生成して出力し、かつ、生成し出力した同期パルス信号と新たに入力した入力同期信号との周期が前記最小値より小さいために前記範囲内にない場合に前記周期が前記最小値となるタイミングで前記同期パルス信号を再び生成して出力し、生成し出力した同期パルス信号と新たに入力した入力同期信号との周期が前記最大値より大きいために前記範囲内にない場合に前記周期が前記最大値となるタイミングで前記同期パルス信号を再び生成して出力してもよい。
【発明を実施するための最良の形態】
【００１８】
以下、図面に基づき本発明の実施形態について説明する。
【００１９】
図１には、本実施形態における液晶表示制御装置１５の回路構成が示されている。この回路は、図１０に示された液晶テレビの全体構成において、スケーラ１４とパネルモジュール１６との間、すなわちスケーラ１４の後段に設けられる。
【００２０】
液晶表示制御装置１５は、カウンタ１５ａ、比較器１５ｂ、同期パルス（あるいは自走パルス）生成器１５ｃ、カウンタ１５ｄ及びセレクタ１５ｅを含んで構成される。
【００２１】
カウンタ１５ａは、前段の構成ブロックからの水平同期信号及び垂直同期信号を入力し、それぞれの周期をカウントする。水平同期信号の周期は水平画素数に対応し、垂直同期信号の周期は垂直ライン数に対応する。カウンタ１５ａでのカウント値は比較器１５ｂに供給される。また、カウンタ１５ａは、後述する同期パルス生成器１５ｃで同期パルスが生成された後に新たに同期信号が入力されるまでの周期もカウントし、カウント値を比較器１５ｂに供給する。
【００２２】
比較器１５ｂは、カウンタ１５ａからのカウント値、すなわち同期信号の周期が所定の範囲内にあるか否かを判定する。すなわち、同期信号の周期を所定の最小値Ｍｉｎ値と大小比較するとともに、同期信号の周期を所定の最大値Ｍａｘ値と大小比較する。比較器１５ｂは、同期信号の周期と所定の最小値Ｍｉｎ値、Ｍａｘ値との比較結果に応じて切替信号をセレクタ１５ｅに出力する。また、同期信号の周期が所定の範囲内にない場合、すなわち、周期が最小値Ｍｉｎより小さい、あるいは周期が最大値Ｍａｘ値より大きい場合には、同期パルス生成器１５ｃにパルス発生信号を出力する。最小値Ｍｉｎ値、最大値Ｍａｘ値は表示解像度に応じて設定されるが、例えば水平同期信号の最小値Ｍｉｎ値は１０５０、最大値Ｍａｘ値は１８００、垂直同期信号の最小値Ｍｉｎ値は７８０、最大値Ｍａｘ値は９００に設定される。
【００２３】
同期パルス（あるいは自走パルス）生成器１５ｃは、比較器１５ｂからのパルス発生信号を入力して同期パルス（あるいは自走パルス）を生成してセレクタ１５ｅに出力する。なお、自走パルスとは、本来の同期信号とは別個に装置１５内部で生成（自走）したパルスであることに着目したものである。また、同期パルス生成器１５ｃで同期パルスを生成した場合、カウンタ１５ｄを順次インクリメントしていく。さらに、同期パルス生成器１５ｃは、同期パルスを生成した場合にカウンタ１５ａのカウント値をリセットし、同期パルスが生成されてから新たに同期信号が入力されるまでの周期をカウントさせる。
【００２４】
カウンタ１５ｄは、同期パルス生成器１５ｃでの同期パルス生成の回数をカウントする。そして、同期パルス生成が連続して所定回数に達した場合、比較器１５ｂでの大小比較のしきい値を変化させる。例えば、同期パルスが生成されてから新たな同期信号が入力されるまでの周期が所定の範囲内にない場合、比較器１５ｂは最大値Ｍａｘとなるタイミングで同期パルス生成器１５ｃから同期パルスを出力させるが、この出力タイミングをＭａｘ値からＭｉｎ値に変化させる。
【００２５】
セレクタ１５ｅは、同期信号（オリジナル同期信号）及び同期パルス生成器１５ｃからの同期パルスを入力し、いずれかの信号を比較器１５ｂからの切替信号に基づき選択的に出力する。具体的には、同期信号の周期が所定の範囲内にあるとき、及び同期パルス生成から次の同期信号入力までの周期が所定の範囲内にあるときにはセレクタ１５ｅは同期信号（オリジナル同期信号）を選択して出力し、同期信号の周期が所定の範囲内にないとき、及び同期パルス生成から次の同期信号入力までの周期が所定の範囲内にないときにはセレクタ１５ｅは同期パルス（あるいは自走パルス）を選択して出力する。
【００２６】
このような構成において、通常の周期を有する同期信号が装置１５に入力された場合、同期パルス生成器１５ｃは同期パルスを生成せず、セレクタ１５ｅは常に同期信号を選択して出力するため、装置１５からは入力同期信号がそのままの波形で出力される。
【００２７】
一方、通常の周期を有しない、すなわち同期信号の周期が所定の範囲内にない同期信号が装置１５に入力された場合、同期パルス生成器１５ｃが動作して同期パルスを生成し、セレクタ１５ｅは同期信号の代わりに生成同期パルスを出力する。生成同期パルスの出力は、生成同期パルスと入力同期信号との周期が所定の範囲内となるまで連続的に出力される。したがって、セレクタ１５ｅからは、常にその周期が所定の範囲内にある同期信号が出力されることとなり、後段のパネルモジュール１６に供給される。
【００２８】
図２には、装置１５の基本的な動作フローチャートが示されている。まず、比較器１５ｂにて同期信号の周期が所定の範囲内であるか否か、すなわち最小値Ｍｉｎ以上であり最大値Ｍａｘ値以下であるかを判定する（Ｓ１０１）。もし、周期が範囲内であればこの同期信号をそのまま出力する（Ｓ１０６）。
【００２９】
一方、同期信号の周期が範囲内でない場合、すなわち最小値Ｍｉｎ値より小さいか、あるいは最大値Ｍａｘ値より大きい場合、同期パルス生成器１５ｃから同期パルス（あるいは自走パルス）を生成して出力する（Ｓ１０２）。同期パルスを生成して出力した後、入力同期信号（オリジナル同期信号）に復帰できるか否かを判定する（Ｓ１０３）、この判定は、同期パルスと新たに入力した同期信号との周期が範囲内にあるか否かで判定され、周期が範囲内にあれば復帰できると判定されて入力同期信号をそのまま出力する（Ｓ１０６）。周期が範囲内にない場合、入力同期信号に復帰できないと判定され、同期パルスを所定のタイミングで出力し続ける。このタイミングは、周期が所定の範囲内となるタイミングであり、すなわち、周期が最小値Ｍｉｎ値と最大値Ｍａｘ値の間にあるタイミングである。その一つの例は、周期が最大値Ｍａｘ値となるタイミングである。この場合、同期パルスはその周期が最大値Ｍａｘ値となるように出力される。また、入力同期信号に復帰できず、同期パルスを出力する場合、所定回数だけ連続して同期パルスを出力したか否かを判定する（Ｓ１０４）。所定回数連続して同期パルスを出力していない場合、同一タイミング、すなわち周期が最大値Ｍａｘとなるタイミングで同期パルスを出力し続ける。一方、同期パルスの生成及び出力が所定回数に達した場合、同期パルスを生成し出力するタイミング、上記の例では最大値Ｍａｘ値となるタイミングを最小値Ｍｉｎ値となるタイミングに変更した上で同期パルスを生成し出力する（Ｓ１０５）。タイミングを変更するのは、同期パルスを同じタイミングで生成し続けた場合に入力同期信号への復帰が遅れるのを防止するためである。すなわち、入力同期信号の周期が正常周期に戻っても、同期パルスと入力同期信号との周期が範囲内にない場合には継続して同期パルスが出力されてしまい、入力同期信号が遮断され続けてしまうことを防止するためである。
【００３０】
なお、周期が範囲内にない場合に同期パルス（あるいは自走パルス）を出力するタイミングとしては２種類存在する。すなわち、入力同期信号に代えて始めて同期パルスを出力するタイミングと、同期パルスから入力同期信号に復帰できないため同期パルスを継続して出力するタイミングである。両タイミングは同一でもよく、あるいは異なっていてもよい。前者の例としては、常にＭａｘ値となるタイミングで出力するものであり、後者の例としては入力同期信号に代えて始めて同期パルスを出力するタイミングとして周期の大小に応じてＭｉｎ値あるいはＭａｘ値とするタイミングとし、同期パルスから入力同期信号に復帰できないため同期パルスを継続して出力するタイミングとして常にＭａｘ値となるタイミングである。周期の大小に応じてＭｉｎ値あるいはＭａｘ値とするタイミングとは、周期がＭｉｎ値より小さい場合にはＭｉｎ値となるタイミングで同期パルスを出力し、周期がＭａｘ値より大きい場合にはＭａｘ値となるタイミングで同期パルスを出力することである。
【００３１】
図３には、本実施形態における装置１５の詳細な動作フローチャートが示されている。なお、この動作は、入力同期信号に代えて始めて同期パルスを出力するタイミングとして周期の大小に応じてＭｉｎ値あるいはＭａｘ値とするタイミングとし、同期パルスから入力同期信号に復帰できないため同期パルスを継続して出力するタイミングとして常にＭａｘ値となるタイミングとしたものである。
【００３２】
まず、装置１５に同期信号を入力する（Ｓ２０１）。そして、装置１５のカウンタ１５ａで同期信号の周期をカウントする。すなわち、垂直ライン数ＣｎｔＬｉｎｅ１及び水平画素数ＣｎｔＤｏｔ１を検出する（Ｓ２０２）。
【００３３】
周期、すなわち水平画素数と垂直ライン数を検出した後、比較器１５ｂでカウント値と最小値Ｍｉｎ値とを大小比較する（Ｓ２０３）。上記のように、水平画素数の最小値Ｍｉｎ値は例えば１０５０であり、垂直ライン数の最小値Ｍｉｎは例えば７８０である。カウント値が最小値Ｍｉｎ値以上である場合には、比較器１５ｂは次にカウント値と最大値Ｍａｘ値とを大小比較する（Ｓ２０４）。水平画素数の最大値Ｍａｘ値は例えば１８００であり、垂直ライン数の最大値Ｍａｘ値は例えば９００である。
【００３４】
比較器１５ｂにて比較した結果、カウント値が最小値Ｍｉｎ値と最大値Ｍａｘ値の範囲内にある場合、Ｓ２０３及びＳ２０４にていずれもＮＯと判定され、入力同期信号をそのまま出力する（Ｓ２０５）。そして、再び同期信号の周期をカウントし、比較器１５ｂで比較する。
【００３５】
一方、Ｓ２０３にてカウント値が最小値Ｍｉｎ値より小さいと判定された場合、同期パルス生成器１５ｃは周期がＭｉｎ値となるタイミングで同期パルス（あるいは自走パルス）を生成する（Ｓ２０６）。また、Ｓ２０４にてカウント値が最大値Ｍａｘ値より大きいと判定された場合、同期パルス生成器１５ｃは周期がＭａｘ値となるタイミングで同期パルス（あるいは自走パルス）を生成する（Ｓ２０７）。周期の大小に応じて同期パルスを生成した後、セレクタ１５ｅはこれらの同期パルスを出力する（Ｓ２０８）。
【００３６】
同期パルス（あるいは自走パルス）を出力した後、カウンタ１５ａは再びカウントを開始し、新たに同期信号が入力されるまでの周期をカウントする。このときのカウント値を垂直ライン数ＣｎｔＬｉｎｅ２、水平画素数ＣｎｔＤｏｔ２とする（Ｓ２０９）。そして、比較器１５ｂは、カウント値を再び最小値Ｍｉｎ値及び最大値Ｍａｘ値と大小比較する。すなわち、Ｍｉｎ値とカウント値とを大小比較し（Ｓ２１０）、カウント値が最小値Ｍｉｎ値以上である場合には次に最大値Ｍａｘ値とカウント値とを大小比較する（Ｓ２１１）。Ｓ２１０及びＳ２１１にてＮＯ、すなわち同期パルス出力から次に同期信号が入力されるまでの周期が最小値Ｍｉｎ値と最大値Ｍａｘ値の範囲内である場合には、同期信号に復帰することが可能であることを意味するから、同期パルス生成器１５ｃでの同期パルス生成及び出力を中止し（これを自走モードのＯＦＦと称する）（Ｓ２１２）、セレクタ１５ｅは入力した同期信号を出力する（Ｓ２１３）。
【００３７】
また、Ｓ２１０あるいはＳ２１１にてＹＥＳ、すなわち同期パルス出力から次に同期信号が入力されるまでの周期が最小値Ｍｉｎ値より小さい、あるいは最大値Ｍａｘ値よりも大きい場合、同期信号に復帰したのではその周期が所定の範囲外となってＬＣＤパネルに焼き付けが生じるおそれがあるため自走モードを維持する。すなわち、同期パルス生成器１５ｃは引き続き同期パルスを生成し、セレクタ１５ｅは同期パルスを出力する。このとき、同期パルス生成器１５ｂは、周期の大小によらず一律に周期がＭａｘ値となるタイミングで同期パルスを生成し出力する（Ｓ２１４）。
【００３８】
同期パルス生成器１５ｃで同期パルスを生成し出力した場合、その回数はカウンタ１５ｄでカウントされる。その回数が３回に達した場合、より特定的には、入力同期信号のカウント値ＣｎｔＬｉｎｅ１あるいはＣｎｔＤｏｔ１がＭａｘ値とほぼ等しい場合が連続して３フィールド続いた場合には、自走モードにおいて同期パルスを生成し出力するタイミングをＭａｘ値からＭｉｎ値に変更する（Ｓ２１６）。Ｍａｘ値がＣｎｔＬｉｎｅ１あるいはＣｎｔＤｏｔ１とほぼ等しい場合、入力同期信号はほぼ正常な周期であっても同期パルスと次に入力される同期信号との周期は常にほぼ一定で所定の範囲外となってしまい、常に自走モードが維持され同期信号に復帰できない事態となる。そこで、同期パルスを生成し出力するタイミングをＭａｘ値からＭｉｎ値に変更し、同期パルスと次に入力される同期信号との周期を変化させて、該周期が所定の範囲内となるようにして同期信号への復帰を促す。Ｍａｘ値をＭｉｎ値に変更した後、周期をカウントし（Ｓ２０９）、周期が範囲内であれば（Ｓ２１０及びＳ２１１でＮＯ）、自走モードがＯＦＦとなり（Ｓ２１２）、同期信号に復帰する（Ｓ２１３）。
【００３９】
図４には、以上述べた処理による出力同期信号のタイミングチャートが示されている。図４（ａ）は入力同期信号のタイミングチャート、図４（ｂ）は装置１５から出力される同期信号のタイミングチャートである。入力同期信号の周期が最小値Ｍｉｎ値と最大値Ｍａｘ値との間にある場合には、装置１５はそのまま入力同期信号を出力する。図において、装置１５によりそのまま出力される同期信号は「ＯＫ」と示されている。一方、図において入力同期信号１００はその周期が最小値Ｍｉｎ値より小さくなっており、図では範囲内にないことを示す「ＮＧ」と示されている。このような周期の異常は、チャンネル切替やＶＴＲの巻き戻し、早送り等において生じ得る。この時点において装置１５は入力同期信号１００の代わりに、装置１５内部の同期パルス生成器１５ｃで生成した同期パルスを出力する。同期パルスの出力タイミングが、周期が最小値Ｍｉｎとなるタイミングである。図では、同期パルス２００として示されている。
【００４０】
同期パルス２００を生成し出力した後、新たに同期信号１０２が入力されるが、同期パルス２００との周期は最小値Ｍｉｎより小さいため、この入力同期信号１０２をそのまま出力することはできない。そこで、装置１５は自走モードを継続し、装置１５内部の同期パルス生成器１５ｃで同期パルスを生成して出力する。図では、同期パルス２０２として示されている。同期パルス２０２の出力タイミングは、同期パルス２００からの周期が最大値Ｍａｘ値となるタイミングである。
【００４１】
同期パルス２０２を生成し出力した後、新たに同期信号１０４が入力されるが、同期パルス２０２と入力同期信号１０４との周期は最小値Ｍｉｎ値と最大値Ｍａｘ値との間にあるため「ＯＫ」とされ、装置１５は自走モードをＯＦＦとして入力同期信号１０４をそのまま出力する。以上のようにして、図４（ｂ）に示されるような同期信号が最終的に出力される。出力される同期信号の周期は最小値Ｍｉｎ値と最大値Ｍａｘ値の範囲内にある正常な周期を有する。
【００４２】
図４のタイミングチャートでは自走モードがＯＮされてから同期パルス２００、２０２を生成し出力した後に自走モードをＯＦＦとして入力同期信号に復帰している。一方、入力同期信号１０４のタイミングによっては同期パルス２０２からの周期が範囲外となり、再び同期パルス生成器１５ｃから同期パルスが生成され出力されることになる。自走モードが所定回数だけ連続した場合、自走モードからの復帰を図るべく同期パルスの出力タイミングはＭａｘ値からＭｉｎ値に変更される。
【００４３】
図５には、同期パルスの出力タイミングの変更が模式的に示されている。同期信号の周期が最小値Ｍｉｎ値より小さいため自走モードがＯＮされ最小値Ｍｉｎ値となるタイミングで同期パルスが出力される。その後、同期パルスは周期がＭａｘ値となるタイミングで順次同期パルス生成器１５ｃから出力され、３回（３フィールド）連続して出力された場合には、同期パルスを出力するタイミングをＭａｘ値からＭｉｎ値に変更する。Ｍａｘ値からＭｉｎ値への変更は、図１に示すようにカウンタ１５ｄからの変更信号に基づき実行される。Ｍｉｎ値のタイミングで出力することにより、同期パルスと入力同期信号との周期が変化し、入力同期信号への速やかな復帰が図られる。すなわち、入力同期信号自体の周期が正常値であっても、同期パルスの出力タイミングをＭａｘ値で固定化していると、同期パルスと入力同期信号との周期も固定化されてしまい、常にその周期は範囲外となってしまう。同期パルスの出力タイミングをＭｉｎ値に変更することで、同期パルスと入力同期信号との周期も変更（増大）されるため、周期が範囲内となって入力同期信号への復帰が図られる。
【００４４】
図６には、入力同期信号の周期がＭａｘ値を超えた場合のタイミングチャートが示されている。入力同期信号１００の周期は最大値Ｍａｘ値を超えた場合、すなわち、最大値Ｍａｘ値となっても同期信号が入力されなかった場合、装置１５内部の同期パルス生成器１５ｃは最大値Ｍａｘ値のタイミングで同期パルス２００を生成し出力する。自走モードにおいては図４と同様に同期パルス２００と入力同期信号の周期が範囲内であれば自走モードをＯＦＦとして入力同期信号に復帰し、同期パルス２００と入力同期信号の周期が範囲外であればＭａｘ値となるタイミングで同期パルス２０２を出力する。
【００４５】
以上説明したように、本実施形態では、入力同期信号の周期、すなわち水平画素数や垂直ライン数が所定のＭｉｎ値とＭａｘ値の範囲内にある場合にはそのまま出力し、範囲内にない場合には装置１５内部で同期パルスを生成して同期信号の周期を所定の範囲内に維持するとともに、入力同期信号に復帰する場合にもその周期が範囲内となるように調整するため、ＬＣＤパネルの焼き付けを防止することができる。
【００４６】
なお、本発明は上記の実施形態に限定されるものではなく種々の変更が可能である。
【００４７】
例えば、本実施形態では入力同期信号の周期がＭｉｎ値より小さい場合にはＭｉｎ値のタイミングで同期パルスを出力し、入力同期信号の周期がＭａｘ値より大きい場合にはＭａｘ値のタイミングで同期パルスを出力して自走モードに入り、自走モード中はＭａｘ値のタイミングで同期パルスを出力しているが、入力同期信号の周期が範囲外のときには常にＭａｘ値のタイミングで同期パルスを出力し、自走モード中においてもＭａｘ値のタイミングで出力してもよい。
【００４８】
図７にはこの場合のタイミングチャートが示されている。入力同期信号１００の周期がＭｉｎ値より小さい場合、装置１５内部の同期パルス生成器１５ｃは周期がＭａｘ値となるタイミングで同期パルス２００を生成し出力する。その後は図４と同様に、自走モード中はＭａｘ値となるタイミングで同期パルス２０２を出力し、その後Ｍｉｎ値に出力タイミングを変更して入力同期信号への復帰を図る。
【００４９】
また、上記の実施形態では自走モード中においては同期パルスと入力同期信号の周期が範囲外である場合には常にＭａｘ値となるタイミングで同期パルスを生成し出力しているが、自走モード中であっても同期パルスと入力同期信号の周期がＭｉｎ値より小さいために範囲外となる場合にはＭｉｎ値となるタイミングで同期パルスを生成して出力し、周期が最大値Ｍａｘ値を超えるため範囲外となる場合にはＭａｘ値となるタイミングで同期パルスを生成してもよい。この場合、図３のフローチャートでは、Ｓ２１０でＹＥＳであればＭｉｎ値で同期パルスを生成し、Ｓ２１１でＹＥＳであればＭａｘ値で同期パルスを生成してＳ２１５の処理に移行することになる。
【００５０】
さらに、本実施形態では、入力同期信号の周期がＭｉｎ値より小さい場合にはＭｉｎ値となるタイミングで同期パルスを生成し出力しているが、入力同期信号の周期がＭｉｎ値より小さい場合にはＭｉｎ値とＭａｘ値の中間のタイミング、あるいはＭｉｎ値とＭａｘ値の間の任意のタイミングで同期パルスを生成し出力することもできる。自走モード中においても同様である。
【図面の簡単な説明】
【００５１】
【図１】液晶表示制御装置の構成ブロック図である。
【図２】実施形態の基本処理フローチャートである。
【図３】実施形態の詳細フローチャートである。
【図４】実施形態のタイミングチャート（その１）である。
【図５】実施形態の同期パルス出力タイミングの変更説明図である。
【図６】実施形態のタイミングチャート（その２）である。
【図７】実施形態の他のタイミングチャートである。
【図８】液晶テレビの全体構成図である。
【図９】従来技術の回路図である。
【図１０】従来技術のタイミングチャートである。
【符号の説明】
【００５２】
１０  チューナ、１２  デコーダ、１４  スケーラ、１５  液晶表示制御装置、１６  パネルモジュール。
【図１】
2005086302.tif 000003
【図２】
2005086302.tif 000004
【図３】
2005086302.tif 000005
【図４】
2005086302.tif 000006
【図５】
2005086302.tif 000007
【図６】
2005086302.tif 000008
【図７】
2005086302.tif 000009
【図８】
2005086302.tif 000010
【図９】
2005086302.tif 000011
【図１０】
2005086302.tif 000012